(57)【要約】【課題】  ホタル等が水中と陸とを容易に行き来できるように、水路を流れる水の水面と陸とが接する場所、すなわち岸辺があるホタル等生息水路用ブロックおよびこれを用いるホタル等生息水路を提供すること。【解決手段】  ホタル等生息水路用ブロックは、底部と、該底部上の相対する２つの、それぞれが内面を有する側部とを備え、前記側部の少なくとも一方に、前記側部の頂部分から底部分に亘って設けられた少なくとも１つの開口を有する。また、ホタル等生息用の水路は、それぞれが底部と該底部上の相対する２つの側部とを備えかつ該側部にその頂部分から底部分に亘って設けられた少なくとも１つの開口を有する複数の水路用ブロックを用い、前記底部は地表下にあり、前記側部の頂部分はほぼ地表にあり、前記水路を流れる水の水位は前記開口の範囲内にある。【選択図】図２
2007023695.tif 000002
【特許請求の範囲】
【請求項１】
底部と、該底部上の相対する２つの、それぞれが内面を有する側部とを備えたホタル等生息水路用ブロックであって、前記側部の少なくとも一方に、前記側部の頂部分から底部分に亘って設けられた少なくとも１つの開口を有し、前記側部の高さ方向における前記開口の長さは前記側部の高さの２分の１以上である、ホタル等生息水路用ブロック。
【請求項２】
前記開口に近接して少なくとも１つの他の開口が設けられ、前記他の開口は前記側部の頂部分から底部分に亘り、前記側部の高さ方向における前記他の開口の長さは前記側部の高さの２分の１以上である、請求項１に記載のホタル等生息水路用ブロック。
【請求項３】
少なくとも前記側部の前記底部分において、前記側部の前記内面と前記底部の前記上面とが鈍角をなす、請求項１に記載のホタル等生息水路用ブロック。
【請求項４】
前記側部において、前記開口は前記頂部分と前記底部分と複数の壁部分とによって区画されており、前記壁部分の前記内面は前記ホタル等生息水路用ブロックの軸線方向に対して傾斜している、請求項１に記載のホタル等生息水路用ブロック。
【請求項５】
前記底部の上面は凹凸を有する、請求項１に記載のホタル等生息水路用ブロック。
【請求項６】
それぞれが底部と該底部上の相対する２つの側部とを備えかつ該側部にその頂部分から底部分に亘って設けられた少なくとも１つの開口を有する複数の水路用ブロックを用いるホタル等生息水路であって、前記底部は地表下にあり、前記側部の頂部分はほぼ地表にあり、前記水路を流れる水の水位は前記開口の範囲内にある、ホタル等生息水路。
【発明の詳細な説明】
【技術分野】
【０００１】
本発明は、水中と陸とを生息場所とするホタル、ゲンゴロウ、カエル、イモリ、カメなど（以下「ホタル等」という。）を生息させるためのホタル等生息水路用ブロックおよびこれを用いるホタル等生息水路に関する。
【背景技術】
【０００２】
ホタル等は水中と陸との両方を生息場所とするため、水中と陸とを行き来する。したがって、ホタル等が生息する水路には水路を流れる水の水面と陸とが接する場所があることが好ましい。
【０００３】
例えば、ホタルは、ふ化した後その幼虫がすぐに水に接することができるように、水に近いところにある植物に産卵する。そして、ホタルはふ化してすぐに水に入り、幼虫時代は水中でカワニナという巻貝を餌にして成育し、さなぎになるとき、水中から陸に這い上がって適当な場所で土に潜り、土の中でさなぎになり、羽化して成虫になる。このようにホタルは水中と陸とを行き来するため、ホタルが生息する水路には水路を流れる水の水面と陸とが接する場所があることが好ましい。
【０００４】
従来、底部と、該底部上の相対する２つの側部とを有し、かつ前記底部に複数の貫通穴および凹所を設けた、水路用のコンクリートブロックがある。このコンクリートブロックは水中で生活する生物にとって好ましい環境を提供するために提案されたものであり、ホタル等の生息にとっても利点がある。すなわち、前記コンクリートブロックを用いた水路は、前記貫通穴から前記底部下の土に根を伸長させて生長した植物により水流を減勢することができるため、ホタル等は水中で移動しやすくなる。また、凹所内に溜まった土砂や石材の隙間にホタル等の隠れ処を提供することができる（例えば、特許文献１参照。）。
【特許文献１】特開２００１−１７２９４１号公報
【発明の開示】
【発明が解決しようとする課題】
【０００５】
しかし、上記の水路は、そこを流れる水と陸とが前記側部によって隔てられているため、ホタル等が水中と陸とを行き来することは非常に困難で、ホタル等の生息にとって大きな障害となる。
【０００６】
本発明の目的は、ホタル等が水中と陸とを容易に行き来できるように、水面と陸とが接するようにすることができるホタル等生息水路用ブロックおよびこれを用いるホタル等生息水路を提供することである。
【課題を解決するための手段】
【０００７】
本発明は、側部に開口を有する水路用ブロックを用いることにより、前記水面と陸とが接するようにし、これによりホタル等の移動を容易にする。
【０００８】
本発明に係るホタル等生息水路用ブロックは、底部と、該底部上の相対する２つの、それぞれが内面を有する側部とを備え、前記側部の少なくとも一方に、前記側部の頂部分から底部分に亘って設けられた少なくとも１つの開口を有する。前記側部の高さ方向における前記開口の長さは前記側部の高さの２分の１以上である。前記開口が設けられることにより水路を流れる水と陸とが接するようになり、前記開口が前記側部の頂部分から底部分に亘り、前記側部の高さ方向においてある程度の長さを有することにより、前記水位が変動しても前記水面と陸とが接するようになる。また、前記開口に近接して少なくとも１つの他の開口を設けることができる。前記他の開口は前記側部の頂部分から底部分に亘り、前記側部の高さ方向における前記他の開口の長さは前記側部の高さの２分の１以上である。前記他の開口を前記開口に近接して設けることにより、水と陸とが接する場所を近接して設けることができる。
【０００９】
少なくとも前記側部の前記底部分において、前記側部の前記内面と前記底部の上面とのなす角度を鈍角とすることができ、これによりホタル等は前記内面を這い上がりやすくなる。ホタル等は前記底部の前記上面から前記側部の前記内面を這い上がり前記開口を通って土の上へ移動するため、前記内面を這い上がりやすくすることにより上陸が容易になる。
【００１０】
前記側部において、前記開口は前記頂部分と前記底部分と複数の壁部分とによって区画されており、前記壁部分の前記内面は前記水路用ブロックの軸線方向に対して傾斜させることができる。これにより、前記水路を流れる水に乱流を発生させ、水中に酸素を供給することができ、ホタル等の成育と水中の植物の生育とを促す。ホタル等は水流が強すぎると流されてしまうことがあるが、乱流の発生により水流が減勢されたり、水中の植物により水が滞留すれば止まっていられるようになり移動もしやすくなる。
【００１１】
前記ホタル等生息水路用ブロックは、前記底部の前記上面に凹凸を設けることができる。これにより前記底部近傍の水が滞留し、ホタル等は移動しやすくなる。
【００１２】
本発明に係る、ホタル等生息用の水路は、それぞれが底部と該底部上の相対する２つの側部とを備えかつ該側部にその頂部分から底部分に亘って設けられた少なくとも１つの開口を有する複数の水路用ブロックを用いる。前記底部は地表下にあり、前記側部の頂部分はほぼ地表にあり、前記水路を流れる水の水位は前記開口の範囲内にある。これにより前記水の水面と陸とは接することとなる。
【発明の効果】
【００１３】
本発明によれば、水路に流れる水の水面と陸とは接することができることから、ホタル等が水中と陸とを容易に行き来でき、ホタル等の生息にとって好ましい環境を設けることができる。
【発明を実施するための最良の形態】
【００１４】
図１、２には、ほぼＵ字形の横断面を有する複数の水路用ブロック１０を用いる、ホタル等生息用の水路１２が示され、各水路用ブロック１０は、底部１４と該底部と一体をなす相対する２つの側部１６とを有し、該側部の頂部分１８が地表にあり、底部１４が地表下にあるように設置されている。頂部分１８はほぼ地表にあればよく、地表より高くても低くてもよい。
【００１５】
両側部１６には、水路１２を流れる水２０が陸２２に接するようにするために複数の長方形の開口２４が設けられており、該開口により、水２０と陸２２とは側部１６に隔てられることなく、開口２４を通して接するようになる。また、水２０の水位がある程度変動してもその水面２６が陸２２と接するように、開口２４は側部１６の底部分２８から頂部分１８に亘っている。開口２４を底部分２８まで設けることにより、水位２６が低いときでも水２０と陸２２とが接し、かつ底部１４から開口２４までの高さが低いため、ホタル等は底部１４から土の上へ容易に移動することができる。また、開口２４を頂部分１８まで設けることにより、水位２６が高いときにおいても水路１２に水面２６と陸２２とが接する場所を設けることができる。また、水２０と陸２２とが接する場所が近接して設けられるように、開口２４は近接して配置されることが望ましい。水２０と陸２２とが接する場所が近接して設けられることにより、ホタル等は水２０の中と陸２２とを容易に移動できるようになる。
【００１６】
開口２４は、側部１６の約６分の１の高さから約６分の５の高さに亘る範囲に設けられているが、水２０の水位がある程度変動しても水面２６が開口２４内にあるようにすれば、前記範囲に限定して設けなくてもよい。ただし、水２０の水位がある程度変動しても水面２６が開口２４内にあるようにするためには、開口２４は側部１６の高さ方向においてある程度の範囲に亘っている必要があり、側部１６の高さ方向における開口２４の長さ２９は側部１６の高さ３０の２分の１以上であることが望ましい。また、開口２４は、長方形の例に代え、円形、楕円形、三角形、五角形、他の多角形でもよい。
【００１７】
各側部１６に複数の開口２４が設けられた図１に示した例に代え、図３に示す例では、各側部１６に１つの開口３１が設けられている。この場合においても、各側部１６に複数の開口２４が設けられた場合と同様に、水２０の水位の変動に応じてその水面２６と陸２２とが接する場所を設けることができる。また、両側部１６に開口２４，３１が設けられた図１、３に示した例に代え、どちらか一方の側部１６に開口２４，３１を設けることもできる。
【００１８】
図１、２に示すように、側部１６は、その底部分２８まで土に接し、該底部分から頂部分１８においては側部１６と土との間に隙間３２が設けられている。底部１４から開口２４を通って土の上に到達したホタル等は土の上を這って上陸するため、隙間３２はホタル等が上陸するときの通り道となる。隙間３２は、地盤の成形により設けることもできるし、土砂が崩れたり削られたりして形成されてもよい。
【００１９】
水路１２には水２０が流され、底部１４上にホタル等の生活の場所を提供する。図２に示す例では、ホタルの幼虫３４およびその餌であるカワニナ３６が底部１４上に生息しており、底部１４に溜まった土砂に生育した植物３８がホタルの幼虫３４やカワニナ３６の隠れ処となったり、カワニナ３６の餌となる。また、水路１２に流された水２０の水位は開口２４の範囲内にあるように維持されている。これにより、水路１２には水面２６が陸２２に接する場所、すなわち岸辺４０が設けられ、ホタル等は岸辺４０を這い上がって容易に上陸することができるようになる。また、岸辺４０に植物４２が生育することにより、ホタルは、その幼虫がふ化してすぐに水２０に接することができるような、水に接近した植物を産卵場所とすることができる。このように水面２６は開口２４の範囲内にあるのが好ましい。ただし、常に開口２４の範囲内にある必要はなく、開口２４の範囲を外れることがあってもよい。
【００２０】
側部１６はそれぞれが内面４４を有し、該内面と底部１４の上面４６とは鈍角をなして交わる。これにより、ホタル等は内面４４を上りやすくなり、内面４４を這い上がって容易に開口２４に到達することができる。内面４４と上面４６とのなす角度４８は、少なくとも側部１６の底部分２８において鈍角であればよい。側部１６の全体、すなわち底部分２８から頂部分１８に亘って鈍角をなす図２の例に代え、図４に示す例では、側部１６の底部分２８のみにおいて鈍角をなす。このように角度４８は鈍角であることが好ましいが、直角にすることもできる。また、角度４８は大き過ぎると水路１２の設置幅が大きくなることがあるため、９０度から１３０度の範囲が好ましい。
【００２１】
側部１６は、図１に示すように、頂部分１８および底部分２８と共に開口２４を区画する複数の壁部分５０を有し、壁部分５０の内面４４は水路用ブロック１０の軸線方向５２に平行である（図５）。内面４４は、軸線方向５２に平行である図５に示した例に代え、図６に示すように、軸線方向５２の後方（図面右方）、すなわち水路１２の上流に向けて一定の角度５４で傾斜させることができる。これにより、水２０に乱流を発生させ、水中に酸素を供給したり、水流を減勢することができるため、ホタル等が成育しやすくなり、水中の植物の生育も促される。水中の植物により水が滞留することにより、ホタル等は流されずに止まっていられるようになり、移動もしやすくなる。また、ホタルの場合、水中の植物が生育することにより、カワニナの餌となる水草が増え、カワニナが繁殖するため、ホタルの幼虫の成育がさらに促される。
【００２２】
角度５４は大き過ぎると内面４４の一部が欠けやすくなるため、２０度以内が好ましい。各壁部分５０の、軸線方向５２の幅５６は各壁部分５０の厚さ５８程度を目安とし、隣接する２つの壁部分５０の間隔６０は各壁部分５０の厚さ５８の０．５倍から５倍を目安とする。また、水路１２の上流（図面右方）に向けて一定の角度で傾斜する図６に示した例に代え、水路１２の下流（図面左方）に向けて一定の角度で傾斜させることもできる。また、各壁部分５０の内面４４を軸線方向５２に対して任意の向きに傾斜させることもでき、この場合、各壁部分５０の内面４４の軸線方向５２に対する傾斜の角度は一定でもよく、一定でなくてもよい。
【００２３】
水路用ブロック１０はコンクリートにより形成され、上記の例では底部１４の上面４６は凹凸がなく平らであるが、底部１４近傍の水を滞留させるために、上面４６に凹凸６２を設けることができる。上面４６は平らである図１に示した例に代え、図７に示す例では、上面４６にはそこに露出させた骨材により凹凸６２が設けられている。これにより底部１４近傍の水が滞留し、ホタル等は水に流されることなく止まっていられるようになり、移動もしやすくなる。また、凹凸６２が設けられることにより、その隙間にホタル等の隠れ処を提供したり、凹凸６２の隙間に溜まった土砂に植物を生育させたりすることができる。そして、ホタル等は植物の隙間を隠れ処にすることもできる。また、ホタルの場合、植物の生育によりカワニナの餌となる水草が増え、カワニナの繁殖が促されるため、ホタルの幼虫の成育が促される。また、凹凸６２は、底部１４の上面４６に露出させた骨材により形成する例に代え、コンクリートの成型、または刷毛を用いてコンクリート表面を粗くすることにより形成することもできる。また、上面４６に砂利を敷き詰めることにより、上面４６を凹凸状にすることもでき、この場合、水路１２を流れる水２０を浄化することができる。
【００２４】
水路用ブロック１０は、多孔性コンクリートを用いて形成することにより、骨材間の空隙（図示せず）にホタル等の隠れ処を提供することができる。また、骨材間の空隙に土砂が充填されてそこに植物が生育することにより、植物の隙間にもホタル等の隠れ処を提供することができる。また、ホタルの場合、骨材間の空隙や植物の隙間はカワニナの隠れ処にもなり、植物の生育によりカワニナの餌となる水草が増え、カワニナが繁殖し、ホタルの幼虫の成育が促される。また、水路用ブロック１０は、軽量コンクリートを用いて形成することにより持ち運びを容易にすることができ、自然繊維である竹繊維により補強したコンクリートを用いて形成することにより産業廃棄物としての鉄筋の排出をなくすことができる。
【００２５】
水路用ブロック１０は、コンクリートにより形成する上記の例に代え、プラスチック製とすることができる。これにより、廃棄されたプラスチックを再利用して水路用ブロック１０を製作したり、水路用ブロック１０を廃棄したあとにその材料であるプラスチックを再利用することが可能となり、資源の有効活用を図ることができる。水路用ブロック１０をプラスチック製とした場合、底部１４の上面４６に、プラスチックの成型により凹凸６２を設けることができる。これにより、コンクリート製の水路用ブロック１０において上面４６に凹凸６２を設ける場合と同様、ホタル等の移動を容易にしたり、ホタル等の育成を促す環境を提供することができる。また、コンクリート製の水路用ブロック１０と同様、上面４６に砂利を敷き詰めることにより、水路１２を流れる水２０を浄化することができる。
【００２６】
図１、２に示す、ホタル等生息用の水路１２の施工時、まず、地表に溝６４を掘削し、その後、複数の水路用ブロック１０を、底部１４が地表下にあり側部１６の頂部分１８が地表にあるように溝６４内に配置する。ただし、側部１６の頂部分１８はほぼ地表にあればよく、地表より高くても低くてもよい。また、水路用ブロック１０を配置するとき、各水路用ブロック１０を、水路１２を流れる水２０の水位が開口２４の範囲内にあるように配置する。これにより、水路１２に、水２０の水面２６と陸２２とが接する場所、すなわち岸辺４０を設けることができる。また、水位２６と開口２４との位置関係は、水路用ブロック１０を配置するときに決まらなくても、水路１２に水２０を流したときにその水位２６が開口２４の範囲内にあればよい。また、水位２６は常に開口２４の範囲内にある必要はなく、開口２４の範囲を外れることがあってもよい。
【００２７】
水路用ブロック１０を配置したあと、側部１６の底部分２８から頂部分１８に亘って側部１６と土との間に隙間３２が設けられるように地盤を成形する。隙間３２があることにより、底部１４から開口２４を通って土の上に到達したホタル等は、隙間３２を通って地表に出ることができる。地盤の成形は、水路用ブロック１０を配置したあとに行う例に代え、水路用ブロック１０の配置に先立って行うこともできる。また、地盤の成形により隙間３２を設ける例に代え、地盤の成形を行わず、土砂が崩れたり削られたりして隙間３２が設けられてもよい。
【００２８】
また、ブロックによる既設の水路（図示せず）を、図１、２に示す、ホタル等生息用の水路１２に変更する場合は、まず、既設の水路を構成するブロック（図示せず）を撤去して溝６４を形成し、その後、ホタル等生息用の水路１２の施工と同様に、複数の水路用ブロック１０を溝６４内に設置する。これにより、既設の水路をホタル等生息用の水路１２に変更することができる。
【００２９】
本発明によれば、側部１６に開口２４を有する水路用ブロック１０を用いることにより、水路１２に流れる水２０の水面２６と陸２２とが接する場所、すなわち岸辺４０を設けることができる。これにより、ホタル等は水中と陸とを容易に行き来でき、ホタル等の生息にとって好ましい環境を設けることができる。
【図面の簡単な説明】
【００３０】
【図１】本発明の第１の実施例に係るホタル等生息用水路の斜視図。
【図２】本発明の第１の実施例に係るホタル等生息用水路の横断面図。
【図３】本発明の第２の実施例に係るホタル等生息用水路の斜視図。
【図４】本発明の第３の実施例に係るホタル等生息用水路の横断面図。
【図５】図２の線５−５における水平断面図。
【図６】本発明の第４の実施例に係るホタル等生息用水路の水平断面図。
【図７】本発明の第５の実施例に係るホタル等生息用水路の斜視図。
【符号の説明】
【００３１】
１０    水路用ブロック
１２    水路
１４    底部
１６    側部
１８    頂部分
２０    水
２４、３１    開口
２６    水面
２８    底部分
４４    内面
４６    上面
５２    軸線方向
６２    凹凸
【図１】
2007023695.tif 000003
【図２】
2007023695.tif 000004
【図３】
2007023695.tif 000005
【図４】
2007023695.tif 000006
【図５】
2007023695.tif 000007
【図６】
2007023695.tif 000008
【図７】
2007023695.tif 000009